(57)【要約】【課題】  テレビ番組に関する番組情報を容易に閲覧できるようにする。【解決手段】 サブ画面付テレビジョン装置３によれば、メインディスプレイ５の電源が切れている状態でも、番組情報がサブディスプレイ９に表示されるので、容易に閲覧することができる。また、サブディスプレイ９はメインディスプレイ５よりも画面が小さいため、サブディスプレイ９を稼働させて番組情報を表示させておいても、メインディスプレイ５の電源を切っておくことにより、電力消費量を抑えることが出来る。また、サブディスプレイ９に表示された番組情報を、リモコン１１を用いて指定すれば、その番組をメインディスプレイ５で見ることもできる。しかも、サブディスプレイ９に表示された付加情報を指定すれば、指定した番組の予約をすることができる。【選択図】  図１
2005252463.tif 000002
【特許請求の範囲】
【請求項１】
少なくともテレビ番組を表示可能なメインディスプレイ、及び該メインディスプレイよりも小さい画面を有し、該メインディスプレイの電源が切れている状態でも稼働可能なサブディスプレイを備えた画像表示装置と、
該画像表示装置と接続され、前記メインディスプレイに表示されるテレビ番組に関する情報を前記画像表示装置に送信する番組情報送信手段と、
該番組情報送信手段から前記画像表示装置が受信した番組情報を前記サブディスプレイに表示する番組情報表示手段と
を備えたことを特徴とする番組情報表示システム。
【請求項２】
前記サブディスプレイが、前記メインディスプレイが、画面の一部のみ稼働可能なものであり、前記サブディスプレイが、前記メインディスプレイの画面の前記一部であることを特徴とする請求項１に記載の番組情報表示システム。
【請求項３】
前記番組情報送信手段が、前記番組情報として、少なくとも各番組の名称、放送開始時刻、放送チャンネルを送信する物であり、
前記番組情報表示手段が、少なくとも現時刻に放送中のテレビ番組に関する番組情報を前記サブディスプレイに表示するものであり、
前記番組情報表示手段により、前記サブディスプレイに表示された番組情報の中から所望の番組の番組情報を指定するための指定手段と、
テレビ番組を受信して前記メインディスプレイに表示するチューナーと、
該指定手段により指定された番組情報が、前記番組情報表示手段により前記サブディスプレイに表示された、現時刻に放送中のテレビ番組に関する番組情報である場合に、該番組情報に対応するテレビ番組を前記チューナーに受信させて前記メインディスプレイに表示するテレビ番組表示手段と、
を備えたことを特徴とする請求項１または２に記載の番組情報表示システム。
【請求項４】
前記番組情報表示手段は、将来放送されるテレビ番組に関する番組情報をも前記サブディスプレイに表示するものであり、
前記テレビ番組表示手段は、該指定手段により指定された番組情報が、前記表示手段により前記サブディスプレイに表示された、将来放送されるテレビ番組に関する番組情報である場合に、該番組情報に対応するテレビ番組の放送開始時刻になると、該テレビ番組を前記チューナーに受信させて前記メインディスプレイに表示するものである
ことを特徴とする請求項３に記載の番組情報表示システム。
【請求項５】
前記番組表示手段により、前記メインディスプレイにテレビ番組が表示されると、その番組が表示されたことを示すデータを当該画像表示装置の外部へ送信する表示実績送信手段と、
該表示実績送信手段により送信された前記データに基づいて、前記番組表示手段にテレビ番組を前記メインディスプレイに表示させた者であるユーザーの、テレビ番組に対する嗜好を示す情報を作成する嗜好情報作成手段と、
を備え、前記番組情報送信手段が、前記嗜好情報作成手段により作成された嗜好情報も前記画像表示装置に送信するものであり、
前記番組情報表示手段が、該番組情報送信手段から前記画像表示装置が受信した嗜好情報も前記サブディスプレイに表示するものである
ことを特徴とする請求項１から４のいずれかに記載の番組情報表示システム。
【請求項６】
前記嗜好情報作成手段が、前記嗜好情報として、前記ユーザーが嗜好する番組の名称、放送開始時刻、放送チャンネルを含む情報を作成する物であり、
前記番組情報表示手段により、前記サブディスプレイに表示された番組情報の中から所望の番組の番組情報を指定するための嗜好番組指定手段と、
テレビ番組を受信して前記メインディスプレイに表示するチューナーと、
前記嗜好番組指定手段により嗜好情報が指定されると、該嗜好情報に対応するテレビ番組の開始時刻になると前記メインディスプレイの電源を入れ、前記チューナーに受信させて前記メインディスプレイに表示する嗜好番組表示手段と、
を備えたことを特徴とする請求項５に記載の番組情報表示システム。
【発明の詳細な説明】
【技術分野】
【０００１】
本発明は、テレビ番組に関する情報をテレビに表示する番組情報表示システムに関する。
【背景技術】
【０００２】
従来、提案されたテレビ番組に関する情報（以下、番組情報）をテレビに表示する技術としては、特許文献１に、テレビ番組を番組表状にしてテレビ受像器の画面に表示する技術が開示されている。
【特許文献１】特開平２００１−１１１９８４号公報
【発明の開示】
【発明が解決しようとする課題】
【０００３】
しかしながら、特許文献１に記載の技術によれば、番組情報を見るには、テレビ受像器の電源を入れる必要がある。従って、番組情報を見ること自体を忘れている場合には、所望の番組を番組情報から探すことができない。テレビ受像器の電源を常に入れておき、番組情報を表示したままにしておけばこれを防げるが、節電という観点からは好ましいことではない。しかも、番組情報を表示している間は、テレビ番組を見ることができない。
【０００４】
本発明は係る課題に鑑みなされたもので、番組情報を容易に閲覧できるようにすることを目的とする。
【課題を解決するための手段】
【０００５】
上記目的を達成するため、請求項１に記載の番組情報表示システムは、少なくともテレビ番組を表示可能なメインディスプレイ、及び該メインディスプレイよりも小さい画面を有し、該メインディスプレイの電源が切れている状態でも稼働可能なサブディスプレイを備えた画像表示装置と、該画像表示装置と接続され、前記メインディスプレイに表示されるテレビ番組に関する情報を前記画像表示装置に送信する番組情報送信手段と、該番組情報送信手段から前記画像表示装置が受信した番組情報を前記サブディスプレイに表示する番組情報表示手段とを備えたことを特徴とする。
【０００６】
このように構成された番組情報表示システムによれば、メインディスプレイの電源が切れている状態でも、番組情報がサブディスプレイに表示されるので、容易に閲覧することができる。また、サブディスプレイはメインディスプレイよりも画面が小さいため、サブディスプレイを稼働させて番組情報を表示させておいても、メインディスプレイの電源を切っておくことにより、電力消費量を抑えることが出来る。
【０００７】
請求項２に記載の本発明は、請求項１に記載の番組情報表示システムにおいて、前記メインディスプレイが、画面の一部のみ稼働可能なものであり、前記サブディスプレイが、前記メインディスプレイの画面の前記一部であることを特徴とする。
【０００８】
このように構成された番組情報表示システムによれば、サブディスプレイを新たに儲けることなく、請求項１に記載の本発明と同等の効果を奏する物となる。
請求項３に記載の本発明は、請求項１または２に記載の番組情報表示システムにおいて、前記番組情報送信手段が、前記番組情報として、少なくとも各番組の名称、放送開始時刻、放送チャンネルを送信する物であり、前記番組情報表示手段が、少なくとも現時刻に放送中のテレビ番組に関する番組情報を前記サブディスプレイに表示するものであり、前記番組情報表示手段により、前記サブディスプレイに表示された番組情報の中から所望の番組の番組情報を指定するための指定手段と、テレビ番組を受信して前記メインディスプレイに表示するチューナーと、該指定手段により指定された番組情報が、前記番組情報表示手段により前記サブディスプレイに表示された、現時刻に放送中のテレビ番組に関する番組情報である場合に、該番組情報に対応するテレビ番組を前記チューナーに受信させて前記メインディスプレイに表示するテレビ番組表示手段とを備えたことを特徴とする。
【０００９】
このように構成された番組情報表示システムによれば、サブディスプレイに表示された番組情報を、指定手段を用いて指定すれば、その番組をメインディスプレイで見ることができる。
【００１０】
請求項４に記載の本発明は、請求項３に記載の番組情報表示システムにおいて、前記番組情報表示手段は、将来放送されるテレビ番組に関する番組情報をも前記サブディスプレイに表示するものであり、前記テレビ番組表示手段は、該指定手段により指定された番組情報が、前記表示手段により前記サブディスプレイに表示された、将来放送されるテレビ番組に関する番組情報である場合に、該番組情報に対応するテレビ番組の放送開始時刻になると、該テレビ番組を前記チューナーに受信させて前記メインディスプレイに表示するものであることを特徴とする。
【００１１】
このように構成された番組情報表示システムによれば、サブディスプレイを用いて、将来見たい番組の予約をすることができる。そして指定した番組の放送開始時刻になれば、その番組が自動的にメインディスプレイに表示されるので、所望の番組を見逃すのを防止することができる。
【００１２】
請求項５に記載の本発明は、請求項１から４のいずれかに記載の番組情報表示システムにおいて、前記番組表示手段により、前記メインディスプレイにテレビ番組が表示されると、その番組が表示されたことを示すデータを当該画像表示装置の外部へ送信する表示実績送信手段と、該表示実績送信手段により送信された前記データに基づいて、前記番組表示手段にテレビ番組を前記メインディスプレイに表示させた者であるユーザーの、テレビ番組に対する嗜好を示す情報を作成する嗜好情報作成手段とを備え、前記番組情報送信手段が、前記嗜好情報作成手段により作成された嗜好情報も前記画像表示装置に送信するものであり、前記番組情報表示手段が、該番組情報送信手段から前記画像表示装置が受信した嗜好情報も前記サブディスプレイに表示するものであることを特徴とする。
【００１３】
このように構成された番組情報表示システムによれば、ユーザーの嗜好する番組の情報をサブディスプレイにて知ることができる。
請求項６に記載の本発明は、請求項５に記載の番組情報表示システムにおいて、前記嗜好情報作成手段が、前記嗜好情報として、前記ユーザーが嗜好する番組の名称、放送開始時刻、放送チャンネルを含む情報を作成する物であり、前記番組情報表示手段により、前記サブディスプレイに表示された番組情報の中から所望の番組の番組情報を指定するための嗜好番組指定手段と、テレビ番組を受信して前記メインディスプレイに表示するチューナーと、前記嗜好番組指定手段により嗜好情報が指定されると、該嗜好情報に対応するテレビ番組の開始時刻になると前記メインディスプレイの電源を入れ、前記チューナーに受信させて前記メインディスプレイに表示する嗜好番組表示手段とを備えたことを特徴とする。
【００１４】
このように構成された番組情報表示システムによれば、サブディスプレイに表示された嗜好情報を、嗜好番組指定手段を用いて指定すれば、その番組を予約することができる。そして指定した番組の放送開始時刻になれば、その番組が自動的にメインディスプレイに表示されるので、所望の番組を見逃すのを防止することができる。なお、この発明を請求項３若しくは請求項４、またはこれらの請求項を引用する請求項５に記載の発明に適用する場合は、請求項３に記載のチューナーを、請求項６に記載のチューナーと兼用させても良い。
【発明の効果】
【００１５】
上述のように、本発明の番組情報表示システムは、メインディスプレイの電源が切れている状態でも、番組情報がサブディスプレイに表示されるので、容易に閲覧することができる。また、サブディスプレイはメインディスプレイよりも画面が小さいため、サブディスプレイを稼働させて番組情報を表示させておいても、メインディスプレイの電源を切っておくことにより、電力消費量を抑えることが出来る。
【００１６】
また、サブディスプレイに表示された番組情報を、指定手段を用いて指定すれば、その番組をメインディスプレイで見ることもできる。
そして、サブディスプレイを用いて、将来見たい番組の予約をすることができる。そして指定した番組の放送開始時刻になれば、その番組が自動的にメインディスプレイに表示されるので、所望の番組を見逃すのを防止することができる。
【００１７】
ユーザーの嗜好する番組の情報をサブディスプレイにて知ることができる。
また、サブディスプレイに表示された嗜好情報を、嗜好番組指定手段を用いて指定すれば、その番組を予約することができる。そして指定した番組の放送開始時刻になれば、その番組が自動的にメインディスプレイに表示されるので、所望の番組を見逃すのを防止することができる。
【発明を実施するための最良の形態】
【００１８】
以下、本発明の実施の形態を示す実施例について図１〜図８に基づいて説明する。まず、図１は本発明を適用した番組情報表示システム１の概略を示す概念図である。番組情報表示システム１は、サブ画面付テレビジョン装置３と、これにインターネットＮを介して接続されたプロバイダのサーバ１３とを主要部として構成されている。サブ画面付テレビジョン装置３はメインディスプレイ５、スピーカー６、赤外線センサ７、サブディスプレイ９などを備えており、テレビ放送を受信するためのアンテナ１０が接続されている。赤外線センサ７は、リモコン１１からの指令を受信するための物であり、サブディスプレイ９は後述する番組情報などを表示する物である。
【００１９】
図２にサブ画面付テレビジョン装置３の内部構成を示す。サブ画面付テレビジョン装置３は、ＣＰＵ４１、ＲＯＭ４３、ＲＡＭ４５を備え、上述した各部と信号のやりとりを行うための入出力インタフェース４７と、これら各部を結ぶバス４９とを主要部として構成されている。チューナー５１は、アンテナ１０にて受信した電波から所望の周波数を抽出し復調するための物であり、復調された映像はメインディスプレイ５に表示され、復調された音声はスピーカー６から出力される。モデムは、インターネットＮを介してデータの送受信を行うための物である。ＨＤＤ（ハードディスクドライブ）５７は、ＣＰＵ４１にて実行するプログラムやプログラムの実行に必要なデータを保存したり、アンテナ１０にて受信した映像や音声などを記録するための物である。ボタン類５９は、メインディスプレイ５の明るさや色彩などを調整するための物であり、計時装置６１は、現在の日時を出力するための物である。なお、これら以外の構成として、ＣＤ−ＲＯＭドライブ、プリンタ、ビデオレコーダーなどを備えていてもよく、またこれが接続されていても良い。
【００２０】
図３にサーバ１３の概略構成を示す。サーバ１３は、様々なコンピュータプログラムを実行するＣＰＵ６３と、ワークメモリ等として機能するＲＡＭ６５と、制御プログラムおよび比較判定用のデータを格納したＲＯＭ６７と、インターネットＮとのデータのやり取りを制御する通信制御部６９と、サーバ１３が実行するプログラムやサブ画面付テレビジョン装置３のユーザーに関する情報などを大量に記憶する外部記憶装置７１と、これら各部を結ぶバス７３とを主要部として構成されている。また、データベース７５には、テレビ番組に関する情報、例えば、どんなジャンルの何という名前の番組が何チャンネルの何時に放送を開始し何時に終了し、出演者は誰であるか、といった情報が記憶されており、その内容はＣＰＵ６３から参照可能にされている。
【００２１】
サブ画面付テレビジョン装置３のＣＰＵ４１にて実行される番組情報受信処理を図４（ａ）に基づいて説明する。本処理は、計時装置６１によって計時された時刻が予め定められた時刻（例えば午前５時）になると起動する。すなわち、所定時刻になった（Ｓ１００：ＹＥＳ）と判定されるとＳ１１０に進み、サーバ１３から番組情報に関するメールを受信し、本処理を終了する。現在時刻が所定時刻でなければ（Ｓ１００：ＮＯ）と判定されると何もせずに本処理を終了する。番組情報には、その番組が放送されるチャンネル、日付、開始時刻、終了時刻が含まれる。
【００２２】
こうして受信したサーバ１３からのメールに基づいてサブディスプレイ９に番組情報を表示する番組情報表示処理を図４（ｂ）に示す。本処理は、サブ画面付テレビジョン装置３のプラグがコンセントに差し込まれると起動する。本処理が起動されるとまずＳ２００にて現在時刻を計時装置６１から取得する。続くＳ２１０では、Ｓ１１０にて受信したサーバ１３からのメールの中から、現在時刻（Ｓ２００で取得）の番組情報を抽出する。Ｓ２２０では、Ｓ１１０にて受信したサーバ１３からのメールの中に、付加情報があるか否かを判定する。付加情報とは、そのユーザーがどういった分野の番組を好んで視聴するかを示す物である。付加情報の生成方法については後述する。
【００２３】
付加情報がある場合（Ｓ２２０：ＹＥＳ）は、Ｓ２３０に進み、Ｓ２１０で抽出した番組情報に付加情報を追加し、Ｓ２４０に移行する。付加情報がない場合（Ｓ２２０：ＮＯ）は、直接Ｓ２４０に進む。Ｓ２４０では、Ｓ２１０にて抽出した番組情報をサブディスプレイ９に表示する。Ｓ２３０により付加情報が追加されている場合は、付加情報もサブディスプレイ９に表示される。表示形態は、付加情報の有無に関わらず、サブディスプレイ９の右端から左方向へとチャンネルと番組名を示す文字が流れていくような物となっている。例えば、「１ｃｈ：ニュース    ３ｃｈ：クイズ    ４ｃｈ：ドキュメント  ……」などと人が読みとれる程度の速度で流れていく。付加情報が追加されている場合は、全チャンネルの番組が表示されたのに引き続き、「今夜９：００からはドラマ『○○』８ｃｈ    明日２０：００からはドラマ『△△』」などと同様にスクロール表示される。付加情報の表示が終了すると再び番組情報を始めからスクロール表示する。時間の経過によりそれまで放送されていた番組が終了すると、番組情報が更新され、次の番組がチャンネルと共に表示されるようになる。
【００２４】
こうして番組情報または付加情報がサブディスプレイ９に表示された状態で、ユーザーが前述のリモコン１１で番組を指定する旨の操作をすると、赤外線センサ７がこれを検出して、図５に示す番組情報指定処理が起動される。本処理が起動されるとまず、リモコン１１が操作された際に流れていた番組情報または付加情報のデータを取得する（Ｓ３００）。そしてそのデータが付加情報であったか否かを判定する（Ｓ３１０）。指定された情報（サブディスプレイ９でなされていた表示内容）が付加情報ではない（Ｓ３１０：ＮＯ）、すなわち番組情報である場合にはＳ３２０に進み、メインディスプレイ５がＯＮの状態にあるか否かを判定する。なお、サブディスプレイ９への表示は、サブ画面付テレビジョン装置３のプラグがコンセントに差されている限り、メインディスプレイ５のＯＮ／ＯＦＦ状態に関わらず表示される。
【００２５】
メインディスプレイ５がＯＦＦ（Ｓ３２０：ＮＯ）であればＳ３３０に進み、メインディスプレイ５をＯＮの状態にし、Ｓ３４０に進む。メインディスプレイ５がＯＮ状態（Ｓ３２０：ＹＥＳ）であれば、直接Ｓ３４０に移行する。Ｓ３４０では、Ｓ３００で取得したデータに基づいてその番組が示すチャンネルをチューナー５１にセットする。例えば、サブディスプレイ９に「１ｃｈ：ニュース」と表示されている時にリモコン１１で前記操作がされた場合には１ｃｈがセットされ、「３ｃｈ：クイズ」と表示されている時にリモコン１１で前記操作がされた場合には３ｃｈがセットされる。すなわち、メインディスプレイ５には、サブディスプレイ９に番組情報として表示された番組が表示される。
【００２６】
こうしてユーザーが番組情報を指定した番組がメインディスプレイ５に表示されると、その番組が選択された旨を示すデータを電子メールとしてサーバ１３に送信（Ｓ３５０）し、本処理を終了する。この電子メールの内容（つまりユーザーがどんな番組を視聴したかを示すデータ）を用いてサーバ１３は付加情報を作成する。なお、ユーザーが付加情報を指定した場合（Ｓ３１０：ＹＥＳ）は、Ｓ３６０に進んで、その番組の開始時刻をセットし本処理を終了する。
【００２７】
Ｓ３６０にて番組の開始時刻がセットされると、図６に示す番組表示処理を起動するようになる。本処理は所定時間（例えば５秒）ごとに起動される。本処理が起動されるとまずＳ４００にて現在時刻を計時装置６１から取得する。続くＳ４１０では、現在が開始時刻（Ｓ３６０でセット）か否かを判定する。開始時刻でなければ（Ｓ４１０：ＮＯ）本処理を終了する。開始時刻であれば（Ｓ４１０：ＹＥＳ）、Ｓ４２０に進み、メインディスプレイ５がＯＮの状態にあるか否かを判定する。
【００２８】
メインディスプレイ５がＯＦＦ（Ｓ４２０：ＮＯ）であればＳ４３０に進み、メインディスプレイ５をＯＮの状態にし、Ｓ４４０に進む。メインディスプレイ５がＯＮ状態（Ｓ４２０：ＹＥＳ）であれば、直接Ｓ４４０に移行する。Ｓ４４０では、Ｓ３６０でセットされたデータに基づいてその番組が示すチャンネルをチューナー５１にセットする。例えば、サブディスプレイ９に「今夜９：００からはドラマ『○○』８ｃｈ」と表示されている時にリモコン１１で前記操作がされた場合には８ｃｈがセットされる。すなわち、メインディスプレイ５には、サブディスプレイ９に付加情報として表示された番組がその放送時刻になると表示される。
【００２９】
こうしてユーザーが番組情報を指定した番組がメインディスプレイ５に表示されると、その番組が選択された旨を示すデータを電子メールとしてサーバ１３に送信（Ｓ４５０）し、本処理を終了する。この電子メールの内容（つまりユーザーがどんな番組を視聴したかを示すデータ）も、付加情報の作成に用いられる。
【００３０】
サーバ１３では、サブ画面付テレビジョン装置３のユーザーなどから受信したメールなどに基づいて番組情報送信処理を行う。これについて図７に示す。本処理は所定時間ごと（例えば、２４時間ごと）に起動される。本処理が起動されるとまず、Ｓ５１０にてサブ画面付テレビジョン装置３のユーザーなどから受信したメールを分析する。具体的には、どんなジャンルの番組を見たか、何時頃の番組を見たか、誰が出演した番組を見たか、などを調べる。こうした分析に基づいてＳ５２０にて付加情報を作成する。例えば、ドラマが好きなユーザーに対してはドラマ番組を紹介する付加情報を作成し、２０：００〜２１：００にテレビを見ていることが多いユーザーに対してはその時間帯の番組を紹介する付加情報を作成する。こうして作成した付加情報を、本日放送される番組の番組情報に付加し（Ｓ５３０）、対応するユーザーに送信し（Ｓ５４０）、本処理を終了する。
【００３１】
このように構成された番組情報表示システム１によれば、メインディスプレイ５の電源が切れている状態でも、番組情報がサブディスプレイ９に表示されるので、容易に閲覧することができる。また、サブディスプレイ９はメインディスプレイ５よりも画面が小さいため、サブディスプレイ９を稼働させて番組情報を表示させておいても、メインディスプレイ５の電源を切っておくことにより、電力消費量を抑えることが出来る。また、サブディスプレイ９に表示された番組情報を、リモコン１１を用いて指定すれば、その番組をメインディスプレイ５で見ることもできる。しかも、サブディスプレイ９に表示された付加情報を指定すれば、指定した番組の予約をすることができる。そして指定した番組の放送開始時刻になれば、その番組が自動的にメインディスプレイ５に表示されるので、所望の番組を見逃すのを防止することができる。付加情報は、ユーザーが嗜好する番組についての情報であるので、非常に便利である。
【００３２】
ここで、本実施の形態と本発明の構成要件との対応関係を示す。サブ画面付テレビジョン装置３が本発明の画像表示装置に相当し、番組情報表示処理が本発明の番組情報表示手段に相当し、リモコン１１が本発明の指定手段と嗜好番組指定手段を兼ねた物に相当し、Ｓ３５０及びＳ４５０の処理が本発明の表示実績送信手段に相当し、Ｓ３００〜Ｓ３４０の処理が本発明のテレビ番組表示手段に相当し、Ｓ４００〜Ｓ４４０の処理が本発明の嗜好番組表示手段に相当し、Ｓ５２０の処理が本発明の実行嗜好情報作成手段に相当し、Ｓ５４０の処理が本発明の番組情報送信手段に相当する。
【００３３】
以上、本発明の実施の形態を説明してきたが、本発明はこれに限定されるものではなく、本発明の要旨を変更しない限り、様々な態様で実施し得るものである。
例えば、サブ画面付テレビジョン装置３は、メインディスプレイ５の下にサブディスプレイ９を備えたものであったが、メインディスプレイ５が液晶表示装置や有機ＥＬのように画面の一部分のみ駆動可能なものであれば、図８に示すように画面の一部（本例では画面の下部に帯状部分７７）をサブディスプレイとして利用しても良い。
【図面の簡単な説明】
【００３４】
【図１】本発明を適用したホームネットワークシステム１の概要説明図である。
【図２】サブ画面付テレビジョン装置３の内部の概略構成を示すブロック図である。
【図３】プロバイダのサーバ１３の内部の概略構成を示すブロック図である。
【図４】サブ画面付テレビジョン装置３が備えるＣＰＵ４１にて実行される番組情報受信処理および番組情報表示処理の概要を示すフローチャートである。
【図５】サブ画面付テレビジョン装置３が備えるＣＰＵ４１にて実行される番組情報指定処理の概要を示すフローチャートである。
【図６】サブ画面付テレビジョン装置３が備えるＣＰＵ４１にて実行される番組表示処理の概要を示すフローチャートである。
【図７】サーバ１３が備えるＣＰＵ６３にて実行される番組情報送信処理の概要を示すフローチャートである。
【図８】本発明の他の実施態様を示す説明図である。
【符号の説明】
【００３５】
１…番組情報表示システム
３…サブ画面付テレビジョン装置
５…メインディスプレイ    ９…サブディスプレイ
１３…サーバ
【図１】
2005252463.tif 000003
【図２】
2005252463.tif 000004
【図３】
2005252463.tif 000005
【図４】
2005252463.tif 000006
【図５】
2005252463.tif 000007
【図６】
2005252463.tif 000008
【図７】
2005252463.tif 000009
【図８】
2005252463.tif 000010